(57)【要約】【課題】穿孔ヘッドの穿孔ロッドへの組み付けおよび取り外しが簡単な穿孔工具を得る。【解決手段】穿孔ロッド１１およびカップ型穿孔ヘッド２１を備える岩石用穿孔工具であって、穿孔ヘッド２１および穿孔ロッド１１は、工具軸線Ａに沿って延在する、穿孔ヘッド２１に設けられた少なくとも１つの回転伝達溝２２と、穿孔ロッド１１の端部に取付けられ、回転伝達溝２２に案内可能な少なくとも１つの回転伝達突起１２とを備える連結手段によって、互いに着脱可能かつ一体に回転するように連結可能である、該岩石用穿孔工具において、連結手段は、回転伝達突起１２を回転伝達溝２２内に保持するための弾性固定手段を備える。【選択図】図１ｃ
2010142946.tif 000002
【特許請求の範囲】
【請求項１】
穿孔ロッド（１１）およびカップ型穿孔ヘッド（２１）を備える岩石用穿孔工具であって、
前記穿孔ヘッド（２１）および前記穿孔ロッド（１１）は、工具軸線（Ａ）に沿って延在する、前記穿孔ヘッド（２１）に設けられた少なくとも１つの回転伝達溝（２２）と、前記穿孔ロッド（１１）の端部に取付けられ、前記回転伝達溝（２２）に案内可能な少なくとも１つの回転伝達突起（１２）とを備える連結手段によって、互いに着脱可能かつ一体に回転するように連結可能である、該岩石用穿孔工具において、
前記連結手段は、前記回転伝達突起（１２）を前記回転伝達溝（２２）内に保持するための弾性固定手段を備えることを特徴とする穿孔工具。
【請求項２】
請求項１記載の穿孔工具において、前記弾性固定手段は、前記穿孔ロッド（１１）に取付けられたものであることを特徴とする穿孔工具。
【請求項３】
請求項１記載の穿孔工具において、前記弾性固定手段は、前記穿孔ヘッド（２１）に取付けられたものであることを特徴とする穿孔工具。
【請求項４】
請求項１〜３のうちいずれか一項記載の穿孔工具において、前記弾性固定手段は、前記回転伝達突起（１２）に取付けられたばね素子（１３）を有し、このばね素子（１３）は、前記穿孔ロッド（１１）の周方向に、ばね弾性をもって可動であることを特徴とする穿孔工具。
【請求項５】
請求項１〜３のうちいずれか一項記載の穿孔工具において、前記弾性固定手段は、前記穿孔ヘッドに取付けられたばね素子（２３）を有し、このばね素子は、前記穿孔ヘッド（２１）の周方向に、ばね弾性をもって可動であることを特徴とする穿孔工具。
【請求項６】
請求項１〜３のうちいずれか一項記載の穿孔工具において、前記弾性固定手段は、前記穿孔ヘッド（２１）に設けられた少なくとも１つの弾性壁部分（２４）を有し、前記回転伝達溝（２２）の開口（２８）領域における幅は、前記回転伝達突起（１２）の最大幅よりも小さいことを特徴とする穿孔工具。
【請求項７】
請求項６記載の穿孔工具において、前記回転伝達溝（２２）の軸線方向開口（２８）領域において、前記壁部分（２４）に、前記開口（２８）を先細りにする突部（２５）が取付けられていることを特徴とする穿孔工具。
【請求項８】
請求項６記載の穿孔工具において、前記壁部分（２４）の、回転駆動方向（Ｒ）において前記突部（２５）の後方にある領域に、更に溝（２６）が取付けられていることを特徴とする穿孔工具。
【請求項９】
請求項１〜３のうちいずれか一項記載の穿孔工具において、前記回転伝達溝（２２）は、その開口（２８）領域に、少なくとも１つのテーパ部（２７）を備えることを特徴とする穿孔工具。
【発明の詳細な説明】
【技術分野】
【０００１】
本発明は、請求項１前段に記載するタイプの、岩石用穿孔工具に関する。
【背景技術】
【０００２】
このタイプの岩石用穿孔工具は、少なくとも部分的に中空の穿孔ロッドと、この穿孔ロッドと一体に回転し、ロック手段により着脱可能に連結された穿孔ヘッドとを備える。穿孔ロッドは、洗浄路、穿孔工具装置の工具受けに受けさせるための動力側差込端部、および動力側の連結手段を有し、穿孔ヘッドは、洗浄開口、および硬質材料から成る刃を有する。
【０００３】
特許文献１には、少なくとも部分的に回転および打撃する穿孔ロッドと、硬質材料から成る穿孔ヘッドとを備える岩石用穿孔工具が記載される。穿孔ロッドおよび穿孔ヘッドは、一体に回転し、軸線方向に限定的に可動であり、さらに、ロック手段によって着脱可能なように、連結手段によって互いに連結される。また、穿孔ロッドの端部領域には、少なくとも１つの周方向に張り出す回転伝達突起が取付けられる。この回転伝達突起は、穿孔ヘッドの回転伝達面に設けた、工具軸線に沿って延在する少なくとも１つの回転伝達溝に噛合う。
【先行技術文献】
【特許文献】
【０００４】
【特許文献１】欧州特許出願公開第１２６７０３３号明細書
【発明の概要】
【発明が解決しようとする課題】
【０００５】
本発明の課題は、既知の穿孔工具を改良し、特に穿孔ヘッドの穿孔ロッドへの組み付けおよび取り外しが簡単な穿孔工具を得ることにある。
【課題を解決するための手段】
【０００６】
この課題は、請求項１に記載する特徴を備える穿孔工具により達成される。これによれば、連結手段は、回転伝達突起を回転伝達溝内に保持するための弾性固定手段を備える。この構成により、技術的に簡単な方法で、穿孔ヘッドと穿孔ロッドとの安定した連結が得られ、また、穿孔ヘッドと穿孔ロッドとを補助手段を使うことなく手で取り外すことができる。さらに、本発明に係る穿孔工具は、極めて安価に製造することができる。
【０００７】
好適には、弾性固定手段は、穿孔ロッドに取付けられたものである。この構成により、穿孔ヘッドの製造にコストがかかり過ぎないようにし、また、穿孔ロッドを長期間に渡り使用することで発生し得る維持費を僅かなものとする。
【０００８】
代替実施形態において、弾性固定手段は、穿孔ヘッドに取付けられる。この構成により、穿孔工具から発生する騒音が低減される。このバリエーションは、特に径の小さい穿孔において製造技術的に好適である。
【０００９】
構造的に簡単な解決法において、弾性固定手段は、回転伝達突起に取付けられたばね素子を有し、このばね素子は、穿孔ロッドの周方向にばね弾性をもって可動なものである。
【００１０】
さらに構造的に簡単な解決法において、弾性固定手段は、穿孔ヘッドに取付けられたばね素子を有し、このばね素子は、穿孔ヘッドの周方向にばね弾性をもって可動なものである。
【００１１】
特に安価に実施可能な解決法において、弾性固定手段は、穿孔ヘッドに設けられた少なくとも１つの弾性壁部分を有する。同時に、回転伝達溝の開口領域における幅は、回転伝達突起の最大幅よりも小さい。この構成により、穿孔ヘッドやその側壁の弾性変形性が好適に利用される。
【００１２】
好適には、回転伝達溝の軸線方向開口領域において、壁部分に、開口を先細りにする突部が取付けられることで、回転伝達溝の幅が狭くなる構造となる。
【００１３】
このとき、壁部分の、回転駆動方向において突部の後方にある領域に、更に溝が取付けられると好適である。この構成により、回転伝達突起を回転伝達溝に出し入れする際に、開口または幅の狭い箇所が弾性的に広がりやすくなる。
【００１４】
好適には、回転伝達溝は、その開口領域に、少なくとも１つのテーパ部を備える。この構成により、回転伝達溝の開口または幅の狭い箇所を、回転伝達突起により広げることが可能となる。
【００１５】
以下図面に基づき、本発明の実施形態の例を詳述する。
【図面の簡単な説明】
【００１６】
【図１ａ】第１実施形態における本発明穿孔工具を組立てる際の第１段階における側面図である。
【図１ｂ】第１実施形態における本発明穿孔工具を組立てる際の第２段階における側面図である。
【図１ｃ】第１実施形態における本発明穿孔工具を組立てる際の第３段階における側面図である。
【図２ａ】第２実施形態における本発明穿孔工具を組立てる際の第１段階における側面図である。
【図２ｂ】第２実施形態における本発明穿孔工具を組立てる際の第２段階における側面図である。
【図２ｃ】第２実施形態における本発明穿孔工具を組立てる際の第３段階における側面図である。
【図３】第３実施形態における本発明穿孔工具を組立てる際の第１段階における側面図である。
【発明を実施するための形態】
【００１７】
図１ａ〜１ｃには、工具軸線Ａに沿って延在する本発明穿孔工具１０が示される。この穿孔工具１０は、超硬合金製の切断体２９を担持する穿孔ヘッド２１と、長細の穿孔ロッド１１とを備える。穿孔ヘッド２１および穿孔ロッド１１は、工具軸線Ａに沿って延在する、穿孔ヘッド２１に設けられた４つの回転伝達溝２２と、穿孔ロッド１１の端部領域に取付けられた４つの回転伝達突起１２とを備える連結手段によって連結される。ここで、「工具軸線に沿って延在する」とは、回転伝達溝２２が、工具軸線Ａに対して２５度以下の角度で傾いている場合も意味する。各回転伝達突起１２は、回転伝達溝２２の軸線方向開口２８から、回転伝達溝２２へと案内可能であり、このため、穿孔ヘッド２１を穿孔ロッド１１に、着脱可能かつ一体に回転するように固定することができる。回転伝達突起１２を開口２８に差し込みやすいように、それぞれ開口２８の少なくとも一方の面にテーパ部２７を備える。好適には、回転伝達突起１２には、その穿孔ヘッド２１側の端部において円錐形にテーパが付されれており、回転伝達溝への案内を簡単なものとしている。開口２８の領域において、回転伝達溝２２の回転駆動方向Ｒにおける端部では、それぞれ、ロック鉤３０が回転伝達溝２２内に突出し、穿孔作業中に回転伝達突起１２が飛び出すのを差込装着式に防ぐ。
【００１８】
回転伝達突起１２の少なくとも１つには、その回転駆動方向Ｒにおける後行側の面に、さらに、ばねブリッジとして構成されたばね素子１３が取付けられる。このばね素子１３は、弾性固定手段として機能する。さらに図１ｃに示されるように、穿孔ヘッド２１が穿孔ロッド１１に緩嵌合されている場合において、穿孔ヘッド２１には、このばね素子１３により、回転駆動方向Ｒに抗して弾性力が付与される。このため、回転伝達突起１２は、回転伝達溝２２の、ロック鉤３０によって部分的に軸線方向に閉じた領域に保持される。このとき、ばね素子１３は、穿孔ロッド１１の周方向に、少なくともある程度ばね弾性的に可動である。穿孔ヘッド２１は、連結手段によって、弾性固定手段との組合せにおいて、確実かつ紛失しないように穿孔ロッド１１に保持される。
【００１９】
図２ａ〜図２ｃに示される穿孔工具１０は、回転伝達溝１２の少なくとも１つに、ばね片として構成されたばね素子２３が弾性固定手段として取付けられており、この点において、回転伝達突起１２にばね素子１３が設けられている図１ａ〜図１ｃに示される穿孔工具と相違する。このばね素子２３は、穿孔ヘッド２１の周方向にばね弾性的に可動である。ばね素子２３の機能は、図１ａ〜図１ｃに関して記述されたものと対応しており、このため、ここに記載されない引用符号は、図１ａ〜図１ｃに関する記述から理解されるであろう。
【００２０】
図３に示される穿孔工具１０は、弾性固定手段として、穿孔ヘッド２１に少なくとも１つの弾性壁部分２４と、少なくとも１つの壁部分２４から突出し、回転伝達溝２２をその軸線方向開口２８領域において先細りにする突部２５と、を有しており、この点において、回転伝達突起１２にばね素子１３が設けられている図１ａ〜図１ｃに示される穿孔工具と相違する。さらに、壁部分２４の、回転駆動方向Ｒにおいて突部２５の後方にある領域に、更に溝２６が取付けられる。この溝２６は、壁部分２４の弾性可動性を高めるものである。このとき、突部２５は、湾曲した輪郭を有するテーパ部２７を備える。このテーパ部２７は、回転伝達突起１２により回転伝達溝２２の開口２８を広げるのを容易にする。
【００２１】
弾性壁部分２４の機能は、図１ａ〜２ｃに記載されたばね素子１３，２３の機能と対応しており、このため、ここに記載されない引用符号は、図１ａ〜図２ｃに関する記述から理解されるものとする。
【符号の説明】
【００２２】
１０  穿孔工具
１１  穿孔ロッド
１２  回転伝達突起
１３  ばね素子
２１  穿孔ヘッド
２２  回転伝達溝
２３  ばね素子
２４  壁部分
２５  突部
２６  溝
２７  テーパ
２８  開口
２９  切断体
３０  ロック鉤
Ａ  工具軸線
Ｒ  回転駆動方向
【図１ａ】
2010142946.tif 000003
【図１ｂ】
2010142946.tif 000004
【図１ｃ】
2010142946.tif 000005
【図２ａ】
2010142946.tif 000006
【図２ｂ】
2010142946.tif 000007
【図２ｃ】
2010142946.tif 000008
【図３】
2010142946.tif 000009